(57)【要約】      （修正有）【課題】スピニングリールの糸巻胴部に巻装される釣り糸を釣竿のガイドに通した釣りができる状態のまま、スピニングリールに着脱できるスピニングカバーを提供する。【解決手段】スプールカバー１２を、スプール５の前方からスプール５に装着され、釣り糸６が糸巻胴部に巻装された状態のスプール５の全周および先端部位を外側から覆う有天状の筒部材１３で構成し、前記筒部材１３には、糸巻胴部に対応する溝部１３ｂを筒部材後端から先端に向けて切り欠き形成することで、該溝部１３ｂを釣竿側に引き出される釣り糸６が通るように構成した。【選択図】図１
0003180137.tif 000002
【実用新案登録請求の範囲】
【請求項１】
外周に釣り糸が巻装される筒状の糸巻胴部と、該糸巻胴部の後端側に一体形成されるスカート部と、ハンドルの回転操作に基づいて回転するロータと、該ロータから突出し、ベールが取り付けられるロータアームとを有するスプールを保護するスピニングリールのスプールカバーであって、
前記スプールカバーは、前記スプールの前方からスプールに装着され、スプールの全周および先端部位を外側から覆う有天状の筒部材で構成され、
前記筒部材には、糸巻胴部に対応する溝部が、筒部材後端から先端に向けて切り欠き形成されていることを特徴とするスピニングリールのスプールカバー。
【請求項２】
筒部材後端部位には、溝部を周回り方向に挟む状態で係止してスプールカバーの脱落防止をする係止部材が備えられていることを特徴とする請求項１記載のスピニングリールのスプールカバー。
【請求項３】
係止部材は、ベールを越えてロータアームを架け渡すように構成されていることを特徴とする請求項２記載のスピニングリールのスプールカバー。
【考案の詳細な説明】
【技術分野】
【０００１】
本考案は、魚釣りに用いられるスピニングリールのスプールカバーの技術分野に関するものである。
【背景技術】
【０００２】
一般に、魚釣りに用いられるリールのなかには、釣り糸（道糸、ライン、テグス）が巻装されるスプール自体が回転するのではなく、ロータの回転に伴うベールのガイドで、釣り糸を前後移動しているスプールに巻き取るように構成したスピニングリールがある。このようなスピニングリールにおいて、前記スプールは、一般的に、外周に釣り糸が巻装される筒状の糸巻胴部と、該糸巻胴部の後部に一体形成されるスカート部を備えて構成されていると共に、該スカート部は、糸巻胴部よりも大径筒状をしていてロータに遊嵌状に外嵌されている。
そして、スプールに釣り糸を巻装したスピニングリールを釣竿に取り付けた状態で移動することがあるが、この移動が例えば船である場合、釣竿は船の舷側に立てかけておくか舷側に取り付けたロッドホルダーに保持しておくことが一般的であり、このとき、波しぶきを浴びて海水がスプール内部に浸入するとドラグの動作不良等の原因となってしまうという問題がある。
そこで、釣り糸が巻装された状態のスプールを筒状のスプールカバーで外方から覆ってスプールを海水から保護するようにしたものが知られている（例えば、特許文献１参照）。
【先行技術文献】
【特許文献】
【０００３】
【特許文献１】特開２００６−９４７５５号公報
【考案の概要】
【考案が解決しようとする課題】
【０００４】
ところでスピニングリールは、釣りができる状態で釣竿に取り付けた場合、釣り糸は、糸巻胴部から引き出されベールを通って釣竿に設けたガイドに通した状態になっている。
しかしながら前記特許文献１のスプールカバーは、スプール筒状部の全周の全部を外方から覆うものであるため、糸巻胴部から引き出された釣り糸が邪魔になり、そこで釣り糸の全てを糸巻胴部内に収容した状態でスプールにスプールカバーを装着することになるが、この状態で釣り場に到着した場合、スプールカバーを外してから釣り糸をベール及び釣竿に設けたガイドに通すという作業が必要となって釣り始めるまでに時間がかかってしまい、絶好の時合いを逃してしまう惧れがある。
そこでスプールから繰出されている釣り糸をスプールカバーの後端で無理やり折曲した状態でカバーすることが考えられるが、その場合、釣竿側に繰出されている釣り糸が波を受ける等して何らかの負荷を受けて引っ張られることがあり、そうすると釣り糸がスプールカバーの後端から先端側に向けて引っ張ることになってスプールカバーが不用意に外れることがあるという問題があり、ここに本考案の解決すべき課題がある。
【課題を解決するための手段】
【０００５】
本考案は、上記の如き実情に鑑みこれらの課題を解決することを目的として創作されたものであって、請求項１の考案は、外周に釣り糸が巻装される筒状の糸巻胴部と、該糸巻胴部の後端側に一体形成されるスカート部と、ハンドルの回転操作に基づいて回転するロータと、該ロータから突出し、ベールが取り付けられるロータアームとを有するスプールを保護するスピニングリールのスプールカバーであって、前記スプールカバーは、前記スプールの前方からスプールに装着され、スプールの全周および先端部位を外側から覆う有天状の筒部材で構成され、前記筒部材には、糸巻胴部に対応する溝部が、筒部材後端から先端に向けて切り欠き形成されていることを特徴とするスピニングリールのスプールカバーである。
請求項２の考案は、筒部材後端部位には、溝部を周回り方向に挟む状態で係止してスプールカバーの脱落防止をする係止部材が備えられていることを特徴とする請求項１記載のスピニングリールのスプールカバーである。
請求項３の考案は、係止部材は、ベールを越えてロータアームを架け渡すように構成されていることを特徴とする請求項２記載のスピニングリールのスプールカバーである。
【考案の効果】
【０００６】
請求項１の考案とすることで、釣竿のガイドに釣り糸を通した釣りができる状態のままスプールにスプールカバーを着脱することができる。
請求項２、３の考案とすることで、スプールカバーがスプールから脱落するのを更に防止することができる。
【図面の簡単な説明】
【０００７】
【図１】スプールカバーをスピニングリールに取り付けた状態を示す斜視図である。
【図２】（Ａ）、（Ｂ）は、スプールカバーをスピニングリールに取り付ける状態を示す側面図である。
【図３】スプールカバーの斜視図である。
【考案を実施するための形態】
【０００８】
次に、本考案の実施の形態について図面に基づいて説明する。図面において、１はスピニングリールであって、該スピニングリール１は、リールボディ２、該リールボディ２に回転自在に支持されるハンドル３、該ハンドル３の回転操作に基づいて回転するロータ４、ハンドル３の回転操作に基づいて前後方向に移動する後述のスプール５、該スプール５への釣り糸６の巻取りをガイドするベール７、ロータ４から突出し、ベール７が取り付けられるロータアーム４ａ等の各種部材装置を備えており、さらに、ロータ４を回転せしめるロータ駆動機構（図示せず）、スプール５を前後移動せしめるオシレーティング機構（図示せず）、スプール５の釣り糸６繰出方向への回転に制動を与えるドラグ機構（図示せず）等を備えたものである。
【０００９】
前記スプール５は、スプール軸（図示せず）に軸回り方向の回転及び軸方向の移動が規制された状態で装着されていて、ハンドル３の回転操作に基づくスプール軸の前後移動に伴いスプール５も前後移動する構成になっているが、該スプール５は、スプール本体８、前フランジ部材９、ドラグ摘み１０、後フランジ外径側部材１１等の部材を備えて構成されている。
前記スプール本体８は、外周に釣り糸６が巻装される筒状の糸巻胴部８ａと、該糸巻胴部８ａの後端側に一体形成される糸巻胴部８ａよりも大径筒状のスカート部８ｂとを有した二段筒形状のものであって、スカート部８ｂは、前記ロータ４に遊嵌状に外嵌されている。
なお、これらスピニングリール１の各構成については従来通りであり、その詳細な説明については省略する。
【００１０】
スプールカバー１２は、前方（ドラグ摘み１０側）からスプール５に装着され、スプール５の全周を外方から覆うと共にスプール先端のドラグ摘み１０部位を覆う有天状（先端側底面があり、後端側底面がない状態）の筒部材１３で構成されている。そして該筒部材１３には、糸巻胴部８ａ先端からスカート部８ｂ後端までの長さと略同一の長さの溝部１３ｂが、後端１３ａから切り欠き形成されていて、糸巻胴部８ａに巻装された釣り糸６がベール７へ引き出されて釣竿のガイド（図示せず）を通した状態であっても、スプールカバー１２の着脱ができるように構成されている。
さらに、筒部材１３の後端（ハンドル３側端）１３ａには、前記溝部１３ｂを周周り方向に挟む状態で係止してスプールカバー１２の脱落防止する一対の面ファスナー（本考案の「係止部材」に相当する。）雄部、雌部１４、１４ａが備えられている。
【００１１】
ここで、前記スプールカバー１２をスプール５に装着する方法について説明する。
まず、糸巻胴部８ａに巻装される釣り糸６が釣竿側に引き出されている場合、面ファスナー１４、１４ａを外した状態で該引き出されている引き出し端部位にスプールカバー１２の溝部１３ｂが位置するようにスプールカバー１２の向きを合わせる。そして、スプールカバー１２をドラグ摘み１０の前方からスプール５全体を覆うようにスライド移動させて被せていく。このとき、前記溝部１３ｂ内を前記釣り糸６の引き出し部が通るようにスライドさせていく。そして、スプールカバー１２がスカート部８ｂの後端まで至ったところでスライド移動をやめ、面ファスナー雄部１４を、ロータアーム４ａに架け渡すようにして面ファスナー雌部１４ａに貼着させることで、スプールカバー１２をスプール５に装着する。この装着状態において、スプールカバー１２は、釣り糸６が巻装される糸巻胴部８ａだけでなく、スカート部８ｂまでのスプール本体８全体を覆うものであるため、水の浸入を効果的に防ぐことができるように構成されている。
一方、スプール５に装着されているスプールカバー１２を取り外す場合には、上記手順と逆に、まず面ファスナー雄部１４を面ファスナー雌部１４ａから剥がし、スプールカバー１２を前方へスライド移動させることになる。
そして、スプールカバー１２の装着、取り外し何れの場合においても、釣り糸６が釣竿に通された状態で作業を行うことができるように設定されている。
【００１２】
叙述のごとく構成された本考案の実施の形態において、スプールカバー１２は、スプール先端に設けられるドラグ摘み１０の前方からスプール５に装着され、スプール５の全周とドラグ摘み１０部位をも外側から覆う有天状の筒部材１３で構成され、前記筒部材１３には、糸巻胴部８ａに対応する溝部１３ｂが、筒部材１３後端から先端に向けて切り欠き形成されている。そしてこのように構成することで、糸巻胴部８ａに巻装された釣り糸６がベール７へ引き出されて釣竿のガイド（図示せず）を通した釣りができる状態のままスプールカバー１２を装着した場合、釣り糸６が溝部１３ｂを自然な状態で通ることになるため、釣り糸に何らかの負荷がかかってもスプールカバー１２を引っ張って外してしまうほどの負荷にはならず、スプールカバー１２が不用意に外れてしまうといった不具合を防ぐことができる。しかも、本実施の形態のスプールカバー１２は、脱落防止のための面ファスナー１４、１４ａを備えているが、該面ファスナー１４、１４ａをロータアーム４ａを架け渡した状態で貼着させることでスプール５に装着されているため、スプールカバー１２の脱落を確実に防ぐことができる。
また、前記釣りができる状態でスプールカバー１２の着脱ができるため、スプールカバー１２を装着した状態で釣り場に到着した場合、スプールカバー１２をスプール５から取り外す作業だけで即座に釣りを始めることができることになって、ガイドに釣り糸を通すような手間及び時間を省略することができて、ストレスがなく快適に釣りをすることができる。
【００１３】
さらに、筒部材１３の後端部位には、溝部１３ｂを周回り方向に挟む状態係止する一対の係止部材（面ファスナー）１４、１４ａを備えることで、スプールカバー１２がスプール５から脱落するのを確実に防止することができ、船の揺れや衝撃等によってスプールカバー１２が外れて紛失してしまったり、スプール５に水が浸入してしまうといった不具合を防ぐことができる。
【産業上の利用可能性】
【００１４】
本考案は、魚釣りに用いられるスピニングリールのスプールを覆うスプールカバーの技術分野に利用することができる。
【符号の説明】
【００１５】
１    スピニングリール
４ａ  ロータアーム
５    スプール
６    釣り糸
８ａ  糸巻胴部
８ｂ  スカート部
１０    ドラグ摘み
１２    スプールカバー
１３    筒部材
１４    面ファスナー雄部
１４ａ  面ファスナー雌部
【図１】
0003180137.tif 000003
【図２】
0003180137.tif 000004
【図３】
0003180137.tif 000005